(57)【要約】【課題】選択されているフォルダを、その番号を表示することなく使用者に認識させる音声データ再生装置を提供する。【解決手段】本発明のデータ再生装置１は、複数のフォルダを用いて管理されている音声データを再生し、文字列を表示する表示部９を具えているデータ再生装置であり、選択されたフォルダに応じて、前記表示部９の背景色を変えることを特徴とする。また、本発明のデータ再生装置１の表示部９は、バックライト１２を有する液晶表示装置１０を具えており、前記バックライト１２は、発光色が夫々異なる複数の発光ダイオード１３ａ−ｃを具えている。さらに、本発明のデータ再生装置１は、各発光ダイオード１３ａ−ｃの電流レベルをフォルダ毎に定めるテーブルを用いて、選択されたフォルダに応じて各発光ダイオード１３ａ−ｃに流れる電流を制御する。【選択図】    図１
2004273003.tif 000002
【特許請求の範囲】
【請求項１】
複数のフォルダを用いて管理されている音声データを再生し、文字列を表示する表示部（９）を具えた音声データ再生装置において、選択されたフォルダに応じて、前記表示部（９）の背景色を変えることを特徴とする音声データ再生装置。
【請求項２】
前記表示部（９）は、バックライト（１２）を有する液晶表示装置（１０）を具えており、前記バックライト（１２）は、発光色が夫々異なる複数の発光ダイオード（１３ａ−ｃ）を具えている請求項１に記載の音声データ再生装置。
【請求項３】
各発光ダイオード（１３ａ−ｃ）の電流レベルをフォルダ毎に定めるテーブルを用いて、選択されたフォルダに応じて各発光ダイオード（１３ａ−ｃ）に流れる電流を制御する請求項２に記載の音声データ再生装置。
【請求項４】
音量調節ツマミ（２３）を具えており、前記音量調節ツマミ（２３）の位置に応じて前記表示部（９）の明るさを変化させる請求項１に記載の音声データ再生装置。
【発明の詳細な説明】
【０００１】
【発明の属する技術分野】
本発明は、記録媒体に記録された音声データがフォルダ群を用いて管理されている音声データ再生装置に関する。
【０００２】
【従来の技術】
楽曲等に関する音声データを記録及び再生する方式は多数存在しているが、現在、ＭＰ３（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ−３）フォーマットで所望の音声データを記録媒体に記録し、これを再生することが広く行われている。ＭＰ３フォーマットによれば、ＣＤ−ＤＡに記録された音声データを、再生された音声の音質の劣化を殆ど伴わずに約１０分の１のデータ量に圧縮して記録できる。ゆえに、音声データがＭＰ３フォーマットで記録された記録媒体を再生可能であれば、音声データ装置における記録媒体の取替えは大幅に少なくなる。これは、車載用の音声データ再生装置には非常に大きな利点であるので、現在、ＭＰ３フォーマットの音声データを再生可能な車載用の音声データ再生装置が急速に普及しつつある。
【０００３】
【特許文献１】
特開２００１−２６６５５４号公報
【０００４】
【発明が解決しようとする課題】
ＣＤ−Ｒやハードディスク等の記録媒体に記録されるＭＰ３フォーマットの音声データ（以下、「オーディオファイル」と称す）は、音声データ再生装置において、ツリー構造を有するフォルダ群を用いて管理される。フォルダ群は、ツリー状に階層化された複数のフォルダで構成され、これらフォルダの幾つかには、１又は複数のオーディオファイルが格納される。
【０００５】
音声データ再生装置では、種々の再生モードにおけるフォルダの再生順序管理やフォルダ検索等を行うために、個々のフォルダにフォルダ番号が設定される。従来の音声データ再生装置は、オーディオファイルの再生中に、このオーディオファイルに関する楽曲名等の付加情報の他に、現在選択されているフォルダのフォルダ番号、すなわち、このオーディオファイルが格納されているフォルダのフォルダ番号を、例えば、「ＦＯＬＤＥＲ：１０」のように表示していた。このため、音声データ再生装置の表示部は、複数行の文字例を表示可能なように構成する必要があり、大きさが制限されている車載用の音声データ再生装置では、表示される文字列を小さくしたり、操作スイッチを小さくして表示部の領域を確保することが行われていた。
【０００６】
しかしながら、文字列を小さくした場合、音声データ再生装置の表示部の識別性能が低下し、操作スイッチを小さくした場合、音声データ再生装置の操作性が低下していた。また、複数行の文字例を表示可能な表示部を設けることで、音声データ装置のコストが増加していた。
【０００７】
本発明は、選択されているフォルダを、そのフォルダ番号を表示することなく使用者に認識させる音声データ再生装置を提供する。
【０００８】
【課題を解決するための手段】
本発明の音声データ再生装置は、複数のフォルダを用いて管理されている音声データを再生し、文字列を表示する表示部を具えた音声データ再生装置において、選択されたフォルダに応じて、前記表示部の背景色を変えることを特徴とする。
【０００９】
また、本発明の音声データ再生装置の表示部は、バックライトを有する液晶表示装置を具えており、前記バックライトは、発光色が夫々異なる複数の発光ダイオードを具えている。さらに、本発明の音声データ再生装置は、各発光ダイオード（１３ａ−ｃ）の電流レベルをフォルダ毎に定めるテーブルを用いて、選択されたフォルダに応じて各発光ダイオードに流れる電流を制御する。また、本発明の音声データ再生装置は、音量調節ツマミを具えており、前記音量調節ツマミの位置に応じて表示部の明るさを変化させる。
【００１０】
【作用及び効果】
本発明によれば、選択されたフォルダに応じて表示部の背景色を変えることによって、音声データ再生装置において、現在選択されているフォルダを、そのフォルダのフォルダ番号の表示をせずとも表現できる。従って、フォルダ番号の表示がない分だけ、表示部の文字列及び操作スイッチを大きくできるので、表示部の識別性能及び音声データ再生装置の操作性が向上する。また、背景色の違いにより各フォルダを差別化しているので、フォルダ変更が行われたことが、背景色の変化によって視覚的に且つ瞬時に使用者に把握され易い。
【００１１】
表示部が、バックライトを有する液晶表示装置を具えており、このバックライトが、発光色が夫々異なる複数の発光ダイオードを具えていることにより、選択されたフォルダに応じて表示部の背景色を変えることができる。特に、バックライトは、様々な背景色を実現するために、赤色、緑色及び青色発光ダイオードを具えていることが好ましい。
【００１２】
各発光ダイオードに流れる電流を制御するために、各発光ダイオードの電流レベルをフォルダ毎に定めるテーブルを用いると、フォルダと背景色の対応関係が確立されて、あるフォルダが選択された場合、そのフォルダに対応する背景色を確実に実現できる。また、音量調節ツマミの位置に応じて表示部の明るさを変化させることで、再生された音声の音量を視覚的に把握することができる。
【００１３】
【発明の実施の形態】
以下、本発明の実施例を図を用いて説明する。図１は、本発明に係る音声データ再生装置（１）のブロック図である。音声データ再生装置（１）は、ＣＤ−Ｒ対応ＣＤドライブ装置（２）及びＨＤＤ装置（３）を具えており、ＣＤドライブ装置（２）に装填されたＣＤ−ＤＡ又はＣＤ−Ｒに記録された音声データ、及びＨＤＤ装置（３）の具えるハードディスクに記録された音声データを再生する。
【００１４】
制御部（４）は、ＣＰＵ、ＲＯＭ、及びＲＡＭを具えるマイクロコンピュータ（以下、「マイコン」と称す）（図示せず）を具えており、音声データ再生装置（１）の統括的な制御を行う。ＣＤ−ＤＡ、ＣＤ−Ｒ、又はハードディスクに記録された音声データは、所定の方式で圧縮されて記録されており、制御部（４）は、ＣＤドライブ装置（２）又はＨＤＤ装置（３）から送られた音声データを復号及びアナログ化して再生信号を生成する。生成された再生信号は、増幅器（５）で増幅された後、外部スピーカ（６）に送られる。
【００１５】
ＣＤ−Ｒ又はハードディスクには、音声データがＭＰ３フォーマットで記録されている。音声データは、楽曲毎にオーディオファイルとして記録されており、これらオーディオファイルは、フォルダ群を用いて管理されている。図２は、ＣＤ−Ｒ又はハードディスクに記録されたオーディオファイル及びフォルダ群の一例を示す概念図である。ツリー状に階層化されて構成されたフォルダ群の最下層には、夫々異なるアーティストに対応したフォルダ（５１）（５２）が存在し、各フォルダ（５１）（５２）には、対応するアーティストの楽曲に係る複数のオーディオファイル（６１，６２，…）が格納されている。これらフォルダ（５１）（５２）は、これらアーティストの属するジャンルに対応するフォルダ（４１）に格納されている。フォルダ（４１）と同一階層には、ジャンルに対応する２つのフォルダ（４２）（４３）が存在している。これらフォルダ（４２）（４３）の下位には、アーティストに対応するフォルダは存在していない。ジャンルに対応するフォルダ（４１−４３）は、ツリー構造の最上位にあるルートフォルダ（３１）に格納されている。
【００１６】
各フォルダには番号及び名称が設定されており、ルートフォルダ（３１）には番号１及び名称「ＲＯＯＴ」が設定されている。ルートフォルダ（３１）の下位にあるジャンルに対応するフォルダ（４１）には、番号２及びジャンルを示す名称「ＰＯＰＳ」が、フォルダ（４２）には、番号３及び名称「ＲＯＣＫ」が、フォルダ（４３）には、番号４及び名称「ＣＬＡＳＳＩＣ」が設定されている。さらに、フォルダ（４１）の下位にある、アーティストに対応するフォルダ（５１）には、番号２−１及びアーティストを示す名称「ＡＢＣＤ」が設定されており、フォルダ（５２）には、番号２−２及び名称「ＥＦＧＨＩＪ」が設定されている。なお、フォルダ番号は、制御部（４）内のマイコンにおいてコードで管理されており、例えば、フォルダ番号２のコードは「２００」、フォルダ番号２−１のコードは「２０１」、フォルダ番号２−２のコードは「２０２」となっている。
【００１７】
ＣＤ−Ｒ又はハードディスクに記録された各オーディオファイル（６１，６２，…）には楽曲名等を示す文字列を含む付加情報が付加されている。ＣＤドライブ装置（２）又はＨＤＤ装置（３）により読み出された付加情報は、制御部（４）内のマイコンに記憶されて、操作部（８）から送られた指示信号により表示部（９）に表示される。
【００１８】
図３は、表示部（９）の斜視図である。表示部（９）は、液晶表示装置（１０）（以下、「ＬＣＤ」と称す）を具えている。ＬＣＤ（１０）は、横方向に並べられた複数の文字表示パターン（１１）を有しており、各文字表示パターン（１１）は、７行×５列で配置された画素で構成されている。ＬＣＤ（１０）は透過型であり、その背面側に、ＬＣＤ（１０）を透過する光を発生するバックライト（１２）が装着されている。バックライト（１２）の光源は、発光色が夫々異なる複数の発光ダイオード（以下、「ＬＥＤ」と称す）で構成されている。本実施例では、バックライト（１２）の光源は、ランプフォルダ（１４）に装着された赤色ＬＥＤ（１３ａ）、緑色ＬＥＤ（１３ｂ）及び青色ＬＥＤ（１３ｃ）で構成されている。これらＬＥＤ（１３ａ−ｃ）から出た光は、バックライト（１２）の具える導光板（１５）を介してＬＣＤ（１０）に送られる。なお、本発明の実施において、バックライト（１２）の光源に用いるＬＥＤの種類、個数及び組合せは、本実施例に限られることはない。
【００１９】
図１に示すように、制御部（４）と表示部（９）の間には、制御部（４）からの指令信号に基づき表示部（９）を駆動させる表示制御部（１６）が設けられている。表示制御部（１６）は、文字表示パターン（１１）を構成する各画素に加える電圧を制御するＬＣＤドライバ（１７）を具えている。各画素は、液晶層を挟んで並行に配置された一対の透明電極を有している。これら電極間の電圧を制御することにより、一部の画素ではバックライト（１２）からの光が遮断されて、文字表示パターン（１１）に黒色で文字が表示される。これら画素以外ではバックライト（１２）からの光が透過することで、この光の色が、文字表示パターン（１１）に表示される文字の、すなわち、表示部（９）に表示される文字列の背景色となる。
【００２０】
制御部（４）は、赤色ＬＥＤ（１３ａ）、緑色ＬＥＤ（１３ｂ）及び青色ＬＥＤ（１３ｃ）の各々について電流レベルを示す信号を表示制御部（１６）に送る。表示制御部（１６）は、この信号を受けて、各ＬＥＤ（１３ａ−ｃ）に流れる電流を制御するバックライト制御部（１８）を具えている。バックライト制御部（１８）が、各ＬＥＤ（１３ａ−ｃ）に流す電流を夫々変化させることで、各ＬＥＤ（１３ａ−ｃ）の輝度、さらにはバックライト（１２）の明るさが調整され、また、表示部（９）の背景色が様々に変化する。例えば、表示部（９）の背景色を白色にする場合、バックライト制御部（１８）は、赤色ＬＥＤ（１３ａ）、緑色ＬＥＤ（１３ｂ）及び青色ＬＥＤ（１３ｃ）を同じ輝度で点灯させて、赤色光、緑色光及び青色光の合成光である白色光がバックライト（１２）からＬＣＤ（１０）に送られる。表示部（９）の背景色を青色にする場合、バックライト制御部（１８）は、青色ＬＥＤ（１３ｃ）のみを点灯する。また、緑色ＬＥＤ（１３ｂ）及び青色ＬＥＤ（１３ｃ）を点灯し、緑色ＬＥＤ（１３ｂ）を青色ＬＥＤ（１３ｃ）の倍の輝度で点灯させた場合、表示部（９）の背景色は青みがかかった緑色となる。
【００２１】
図４は、本発明に係る音声データ再生装置（１）の斜視図である。音声データ再生装置（１）の前面部には、ＣＤ−Ｒ又はＣＤ−ＤＡを出し入れするためのＣＤスロット（２１）が開設されている。ＣＤスロット（２１）の下側には、表示部（９）のＬＣＤ（１０）が露出している。ＬＣＤ（１０）の周囲には、操作部（８）を構成する各種ツマミ及びボタンが配設されている。ＬＣＤ（１０）の右側にはモード調整ツマミ（２２）が、左側には音量調節ツマミ（２３）が配設されている。モード調整ツマミ（２２）は、プッシュスイッチ付きのツマミであり、このツマミを押下するごとに、モード調整ツマミ（２２）を回転させることにより行われる調整が、低音調整、高温調整、左右バランス、音場前後調整の順番で巡回的に変化する。
【００２２】
音量調節ツマミ（２３）も、プッシュスイッチ付きのツマミであり、このツマミを押下することで、外部電源（７）から音声データ再生装置（１）への給電が行われ、又は停止される。音量調節ツマミ（２３）が回転されて、これに装着された可変抵抗器（図示せず）の抵抗変化が生じると、増幅器（５）における再生信号の増幅率が、さらには外部スピーカ（６）から発生する音声の音量が変化する。一方で、制御部（４）は、この抵抗変化を受けて、バックライト制御部（１８）内に設けられた可変抵抗器（図示せず）の抵抗値を変化させて、赤色ＬＥＤ（１３ａ）、緑色ＬＥＤ（１３ｂ）及び青色ＬＥＤ（１３ｃ）の電流を一律に増減させる。外部スピーカ（６）から発生する音量が大きくなるように音量調節ツマミ（２３）が移動するにつれて、各ＬＥＤ（１３ａ−ｃ）の電流が増加して表示部（９）が明るくなるように、バックライト制御部（１８）の可変抵抗器の抵抗値は変化する。
【００２３】
ＬＣＤ（１０）の下側には、第１ボタン（２４）乃至第５ボタン（２８）が、モード調整ツマミ（２２）の下側には、第６ボタン（２９）が配設されている。第１ボタン（２４）は、音声データ再生装置（１）が、ＣＤドライブ装置（２）に装填されたＣＤ−Ｒ、又はＨＤＤ装置（３）のハードディスクに記録されたオーディオファイルを再生する場合、フォルダを選択するボタンとなる。第１ボタン（２４）を押下する毎に、枝に沿ってより下位にあるフォルダが選択される。下位のフォルダが存在しない場合は、押下前に選択されているフォルダと同一階層にあるフォルダが順次選択される。これらフォルダが全て選択されると、別の枝に移って同様にフォルダが選択される。図２に示したフォルダ群の場合、第１ボタン（２４）を押下する毎に、フォルダ（３１）（番号１）、フォルダ（４１）（番号２）、フォルダ（５１）（番号２−１）、フォルダ（５２）（番号２−２）、フォルダ（４２）（番号３）、フォルダ（４３）（番号４）の順番でフォルダが巡回的に選択される。
【００２４】
本実施例では、フォルダ選択用のボタンは第１ボタン（２４）のみ設けられているが、フォルダ選択用のボタンを２つ設けて、一方のボタンを、フォルダを下位階層へ移行させるものとし、他方のボタンを、フォルダを同一階層内で移行させるものとしてもよい。また、フォルダ選択用のボタンを４つ設けて、フォルダを上下階層及び同一階層で夫々双方向に移行可能としてもよい。
【００２５】
音声データ再生装置（１）でＭＰ３フォーマットの音声データが再生される場合、すなわち、ＣＤ−Ｒ又はハードディスクに記録されたオーディオファイルが再生される場合、第２ボタン（２５）は、再生されるオーディオファイルを選択するボタンとなる。第２ボタン（２５）が押下される毎に、オーディオファイルは次トラック番号のファイルへ巡回的に移行する。ＣＤドライブ装置（２）に装填されたＣＤ−ＤＡに記録された楽曲が再生される場合も、第２ボタン（２５）が押下される毎に、楽曲が次のトラックに巡回的に移行する。
【００２６】
第３ボタン（２６）は、表示部（９）の表示内容を選択するボタンである。第３ボタン（２６）が押下される毎に、フォルダ名、楽曲名、アーティスト名、経過時間の順番で表示部（９）の表示内容が巡回的に切り替わる。第４ボタン（２７）は、データ再生装置（１）の再生モードを指定するボタンである。第４ボタン（２７）が押下される毎に、通常再生モード、リピート再生モード、シャッフル再生モードの順番でデータ再生装置（１）の再生モードが巡回的に切り替わる。なお、選択されたフォルダにオーディオファイルが存在しない場合は、フォルダ名のみが表示される。第５ボタン（２８）は、再生される音声データのソースをＣＤドライブ装置（２）及びＨＤＤ装置（３）の間で切り替えるボタンであり、第５ボタン（２８）が押下される毎に、ＣＤドライブ装置（２）又はＨＤＤ装置（３）が指定される。
【００２７】
データ再生装置（１）は、ＣＤ−ＤＡに記録された楽曲をＨＤＤ装置（３）のハードディスクに記録するダビング機能を具えている。以下、この手順を説明する。まず、ハードディスクに記録される楽曲が記録されたＣＤ−ＤＡが、ＣＤスロット（２１）に挿入され、ＣＤドライブ装置（２）に装填される。ＣＤドライブ装置（２）は、ＣＤ−ＤＡの存在を検知すると、ＣＤ−ＤＡが装填された旨を示す信号を制御部（４）に送る。制御部（４）は、ＣＤドライブ装置（２）から送られる音声データを処理するように設定される。
【００２８】
使用者は、第２ボタン（２５）を押下して、ハードディスクに記録したい楽曲のトラックを選択する。第６ボタン（２９）は、ダビング動作の開始を指示するボタンであり、第６ボタン（２９）が押下されると、ダビング動作の開始を指示する信号が制御部（４）に送られる。制御部（４）は、選択されたトラックを先頭から終わりまで再生するようにＣＤドライブ装置（２）に指示する。ＣＤドライブ装置（２）から送られたこのトラックに係る音声データは、制御部（４）においてＭＰ３フォーマットに圧縮される。圧縮された音声データは、ＨＤＤ装置（３）に送られて、オーディオファイルとしてハードディスクに記録される。
【００２９】
ＨＤＤ装置（３）のハードディスクには、予めＣＤデータベース情報ファイルが記録されている。制御部（４）は、このＣＤデータベース情報ファイルを参照して、オーディオファイルが格納されるフォルダを決定又は作成する。図５に、ＣＤデータベース情報ファイルの一例を示す。ＣＤデータベース情報ファイルは、各ＣＤのＩＤ番号に対応するジャンル名、アーティスト名及びアルバム名を示すテーブルになっている。制御部（４）は、ＣＤドライブ装置（２）に装填されたＣＤ−ＤＡに記録されたＩＤ番号を読み出して、ＣＤデータベース情報ファイルからこのＩＤ番号に対応するジャンル名、アーティスト名及びアルバム名を取得する。そして、制御部（４）は、取得されたジャンル名が設定されたフォルダの下位、さらにはアーティスト名が設定されたフォルダの下位にある、アルバム名が設定されたフォルダに、再生された楽曲に係るオーディオデータファイルを格納する。対応するフォルダが存在しない場合は、新たにフォルダが作成される。例えば、図２に示すフォルダ構造の場合、ＩＤ番号が「１２５６９０」であるＣＤ−ＤＡに記録された楽曲が再生された場合、フォルダ名が「ＰＯＰＳ」であるフォルダ（４１）の下位にあり、フォルダ名が「ＡＢＣＤ」であるフォルダ（５１）の下層に、新たにアルバム名「ＫＬＭＮ」が設定されたフォルダが作成される。そして、オーディオデータファイルは、このフォルダに格納される。
【００３０】
ＣＤデータベース情報ファイルは、ＣＤ−ＤＡの最内周領域に記録されたＴＯＣ（Ｔａｂｌｅ  ｏｆ  Ｃｏｎｔｅｎｔｓ）に含まれる、ＣＤ−ＤＡに記録された各トラックの開始及び終了時刻情報と、このＣＤ−ＤＡに記録されたこれら楽曲のジャンル名及びアーティスト名を対応づけるテーブルとしてもよい。また、以上の説明では、音声データ再生装置（１）は、１つのトラックのダビングしか行っていないが、ＣＤ−ＤＡに記録された各トラックをハードディスクにダビングすることもできる。第６ボタン（２９）が一定時間（例えば、５秒）押し続けられることで、ダビングモードの切替えが行われる。
【００３１】
次に、制御部（４）が行う表示部（９）の背景色制御について説明する。音声データ装置（１）が立ち上げられた際、制御部（４）は、ＨＤＤ装置（３）のハードディスクのフォルダ構造に基づいてフォルダ色テーブルを作成する。このフォルダ色テーブルは、フォルダ毎に、このフォルダが選択された場合における赤色ＬＥＤ（１３ａ）、緑色ＬＥＤ（１３ｂ）及び青色ＬＥＤ（１３ｃ）の電流レベルを定めたテーブルである。本実施例のフォルダ色テーブルは、各フォルダを特定するためにフォルタ番号を用いており、フォルダ番号と各ＬＥＤ（１３ａ−ｃ）の電流レベルとが対応づけられたテーブルとなっている。
【００３２】
図６に、フォルダ色テーブルの一例を示す。電流レベルは、０から２５５までの整数で示されており、０は最低レベル（ＬＥＤに流れる電流値がゼロ）、２５５は最高レベル（ＬＥＤに流れる電流値が最大）を示している。電流レベルの値は、例えば、フォルダ番号１のフォルダに対応する、赤色ＬＥＤ（１３ａ）、緑色ＬＥＤ（１３ｂ）及び青色ＬＥＤ（１３ｃ）の電流レベルは、全て２５５である。この場合、フォルダ番号１のフォルダ（３１）が選択されると、各ＬＥＤ（１３ａ−ｃ）には最高レベルの電流が流れて、表示部（９）の背景色は白色となる。フォルダ番号が２であるフォルダ（４１）が選択された場合、背景色は青色となり、フォルダ番号が２−１であるフォルダ（５１）が選択された場合、背景色は青緑色となり、フォルダ番号が２−２であるフォルダ（５２）が選択された場合、背景色は紫色となる。フォルダ番号が３であるフォルダ（４２）が選択された場合、背景色は赤色となり、フォルダ番号が４であるフォルダ（４３）が選択された場合、背景色は黄色となる。本実施例では、各ＬＥＤ（１３ａ−ｃ）の電流レベルを２５６段階で設定できることから、３つのＬＥＤ（１３ａ−ｃ）を組み合わせることにより、２５６の３乗である１６７７万色余りの背景色を実現できる。
【００３３】
フォルダ色テーブルは、各フォルダに対応する表示色が重複しないように作成される。ＨＤＤ装置（３）のハードディスクのフォルダ構造が変化した場合、例えば、新規のフォルダが作成された場合では、これに応じてフォルダ色テーブルは書き換えられる。また、ＣＤドライブ装置（２）にＭＰ３フォーマットで音声データが記録されたＣＤ−Ｒが装填された際にも、このＣＤ−Ｒのフォルダ構造に対応したフォルダ色テーブルが作成及び記憶される。
【００３４】
図７は、制御部（４）が行う表示部（９）の背景色制御のフローチャートである。制御部（４）は、第１ボタン（２４）が押下されてフォルダの変更が発生したか否かを判定し（Ｓ１）、新たなフォルダが選択された場合は、このフォルダのフォルダ番号を取得する（Ｓ２）。そして、フォルダ色テーブルを参照して、取得されたフォルダ番号に対応する各ＬＥＤ（１３ａ−ｃ）の電流レベルを決定し（Ｓ３）、バックライト制御部（１８）にこれら電流レベルを設定する（Ｓ４）。バックライト制御部（１８）は、設定された電流レベルに応じた量の電流を各ＬＥＤ（１３ａ−ｃ）に流すことにより、表示部（９）の背景色は、選択されたフォルダに対応する背景色になる。なお、上述したように、各ＬＥＤ（１３ａ−ｃ）の電流は、音量調節ツマミ（２３）の位置に応じてバックライト制御部（１８）で一律に調節される。
【００３５】
例えば、フォルダ番号が２−１であるフォルダ（５２）が選択されている場合、表示部（９）には、このフォルダ（５２）に格納されているオーディオファイルの何れかに関する曲名等が、背景色を青緑色として表示されている。第１ボタン（２４）が押されると、フォルダ番号が２−２であるフォルダ（５２）が選択されて、このフォルダ（５２）に格納されているオーディオファイルのうち最初のトラックに関する曲名等が表示される。この際、上記のステップＳ１乃至Ｓ４が行われることにより、表示された曲名等は紫色の背景色で表示される。使用者は、背景色の変化によってフォルダの変更が行われたことを認識する。さらに、第１ボタン（２４）が押される毎に、選択されたフォルダに応じて、背景色は、赤色、黄色、白色、青色、青緑色、紫色の順番に巡回的に変化する。オーディオファイルが存在しないフォルダが選択された場合、表示部（９）にはこのフォルダに対応する背景色でフォルダ名が表示される。
【００３６】
上記実施例の説明は、本発明を説明するためのものであって、特許請求の範囲に記載の発明を限定し、或は範囲を減縮する様に解すべきではない。本発明の各部構成は上記実施例に限らず、特許請求の範囲に記載の技術的範囲内で種々の変形が可能であることは勿論である。
【図面の簡単な説明】
【図１】本発明に係る音声データ再生装置のブロック図である。
【図２】オーディオファイル及びフォルダ群の一例を示す概念図である。
【図３】本発明に係る音声データ再生装置の表示部の斜視図である。
【図４】本発明に係る音声データ再生装置の斜視図である。
【図５】ＣＤデータベース情報ファイルの一例を示す図である。
【図６】本発明に係る音声データ再生装置のフォルダ色テーブルの一例を示す図である。
【図７】本発明に係る音声データ再生装置の制御部が行う、背景色制御のフローチャートである。
【符号の説明】
（１）          音声データ再生装置
（２）          ＣＤドライブ装置
（３）          ＨＤＤ装置
（４）          制御部
（９）          表示部
（１０）        液晶表示装置
（１２）        バックライト
（１３ａ−ｃ）  発光ダイオード
（１６）        表示制御部
（３１）        フォルダ
（４１）（４２）（４３）        フォルダ
（５１）（５２）                フォルダ
（６１）（６２）                オーディオファイル
【図１】
2004273003.tif 000003
【図２】
2004273003.tif 000004
【図３】
2004273003.tif 000005
【図４】
2004273003.tif 000006
【図５】
2004273003.tif 000007
【図６】
2004273003.tif 000008
【図７】
2004273003.tif 000009